(57)【要約】【課題】キャリッジの移動の制限を容易に解除できる一方で、前記キャリッジの移動を制限する状態への変更が安易に行われることを防止する。【解決手段】カバー部材６が装着部５に第１の向きで装着された場合に、前記カバー部材６の移動制限部６ｂが、前記装着部５の第１開口５ａに挿入されキャリッジ１４の移動を制限する位置に位置する。前記カバー部材６の操作部６ｇは、前記カバー部材６のロック部６ｄをロック形状から解除形状へ変形させる方向へ変位可能である。前記装着部５の操作制限部５ｄは、前記装着部５に第２の向きで装着された前記カバー部材６における前記操作部６ｇの変位を制限する。前記装着部５の第２開口５ｅは、前記装着部５に前記第２の向きで装着された前記カバー部材６における前記ロック部６ｄに通じる。前記第２開口５ｅは、前記ロック部６ｄを前記解除形状へ変形させる工具が挿入される開口である。【選択図】図１
2017204809.tif 000002
【特許請求の範囲】
【請求項１】
本体部内において前記本体部に支持されたプラテンガラス上の原稿を走査するキャリッジおよび前記キャリッジを前記プラテンガラスに沿って移動可能に支持するキャリッジ支持部を備え、前記原稿の画像を読み取る画像読取部と、
前記本体部の一部を成し、前記キャリッジに通じる第１開口が形成された装着部と、
前記装着部に対して第１の向きおよび第２の向きで装着可能であり、前記装着部に装着されることによって前記装着部の前記第１開口を塞ぐカバー部材と、を備え、
前記カバー部材は、
前記カバー部材が前記装着部に前記第１の向きで装着された場合に、前記装着部の前記第１開口に挿入されて前記キャリッジの移動を制限する位置に位置し、前記カバー部材が前記装着部に前記第２の向きで装着された場合に、前記キャリッジの移動の制限を解除する位置に位置する第１制限部と、
前記装着部の一部と係合して前記カバー部材を前記装着部に装着された状態に保持するロック形状から前記装着部との係合が外れる解除形状へ弾性変形可能なロック部と、
前記ロック部に連結され、前記本体部の外側から操作されることにより、前記ロック部を前記ロック形状から前記解除形状へ変形させる方向へ変位可能な操作部と、を備え、
前記装着部は、
前記装着部に前記第２の向きで装着された前記カバー部材における前記操作部の変位を制限する第２制限部と、
前記本体部の外側から、前記装着部に前記第２の向きで装着された前記カバー部材における前記ロック部に通じる第２開口が形成された部分と、を備え、
前記第２開口は、前記ロック部を前記ロック形状から前記解除形状へ変形させる工具が挿入される開口である、画像読取装置。
【請求項２】
前記操作部は、前記ロック部に対してスライド可能に連結されており、
前記操作部の変位が前記第２制限部によって制限された状態において、前記ロック部は、前記操作部に対してスライドしつつ前記ロック形状から前記解除形状へ変形可能である、請求項１に記載の画像読取装置。
【請求項３】
前記装着部は、前記第２開口に挿入された前記工具を前記ロック部へ案内する案内面を有する、請求項１または請求項２に記載の画像読取装置。
【請求項４】
前記ロック部および前記装着部の一方が突起部を有し、
前記ロック部および前記装着部の他方が、前記装着部に装着された前記カバー部材の前記ロック部が前記ロック形状であるときに前記突起部と係合する係合部を有し、
前記案内面により案内された前記工具が前記ロック部の一部を押圧することにより、前記ロック部が、前記突起部と前記係合部との係合が外れる前記解除形状へ変形する、請求項３に記載の画像読取装置。
【請求項５】
前記カバー部材に第１のマークが形成されており、
前記本体部における、前記カバー部材が前記第１の向きおよび前記第２の向きのそれぞれで前記装着部に装着されたときの前記第１のマークに対応する２箇所に、前記キャリッジの移動が制限された状態およびその制限が解除された状態を表す第２のマークおよび第３のマークが形成されている、請求項１から請求項４のいずれか１項に記載の画像読取装置。
【請求項６】
前記カバー部材は、前記カバー部材の長手方向の一方の端部において前記カバー部材の長手方向に沿って張り出した張出部をさらに有し、
前記ロック部は、前記カバー部材の長手方向の他方の端部に設けられており、
前記カバー部材が前記第１の向きおよび前記第２の向きのそれぞれで前記装着部に装着されたときに前記張出部と係合する第１カバー係合部が、前記装着部の２箇所に設けられており、
前記カバー部材が前記第１の向きおよび前記第２の向きのそれぞれで前記装着部に装着されたときに前記ロック部の一部と係合する第２カバー係合部が、前記装着部の２箇所に設けられている、請求項１から請求項５のいずれか１項に記載の画像読取装置。
【請求項７】
前記第２開口は、前記装着部におけるその長手方向の一方の端の１箇所に設けられている、請求項６に記載の画像読取装置。
【請求項８】
請求項１から請求項７のいずれか１項に記載の画像読取装置と、
前記画像読取装置によって読み取られた画像をシートに形成する画像形成部と、を備える画像形成装置。
【発明の詳細な説明】
【技術分野】
【０００１】
本発明は、画像読取装置およびそれを備える画像形成装置に関する。
【背景技術】
【０００２】
一般に、画像読取装置において、原稿の画像を読み取る画像読取部は、プラテンガラス上の原稿を走査するキャリッジと、前記キャリッジを前記プラテンガラスに沿って移動可能に支持するキャリッジ支持部とを備える。
【０００３】
また、前記画像読取装置において、本体部に取り付けられた部材が、前記キャリッジの一部と係合することによって前記キャリッジを固定することが知られている（例えば、特許文献１参照）。これにより、前記画像読取装置が運搬される際などにおいて、前記キャリッジが不必要に移動することを防ぐことができる。
【先行技術文献】
【特許文献】
【０００４】
【特許文献１】特開平９−２８９５７１号公報
【発明の概要】
【発明が解決しようとする課題】
【０００５】
ところで、前記画像読取装置が運搬された後に設置されたときに、簡易な操作により、前記画像読取装置を、前記キャリッジの移動の制限が解除された利用可能状態にセッティングできることが望ましい。
【０００６】
一方、一般のユーザーが、安易な操作によって前記画像読取装置を前記利用可能状態から前記キャリッジの移動が制限される状態へ変更できてしまうと、前記画像読取装置が故障したと誤解されるなどのトラブルが生じるおそれがある。従って、前記画像読取装置を、前記キャリッジの移動が制限されるキャリッジ固定状態へ安易に変更できないことが望ましい。
【０００７】
本発明の目的は、画像読取部におけるキャリッジの移動の制限を容易に解除できる一方で、前記キャリッジの移動を制限する状態への変更が安易に行われることを防止できる画像読取装置およびそれを備える画像形成装置を提供することにある。
【課題を解決するための手段】
【０００８】
本発明の一の局面に係る画像読取装置は、画像読取部と、装着部と、カバー部材とを備える。前記画像読取部は、本体部に支持されたプラテンガラス上の原稿を走査するキャリッジおよび前記本体部内において前記キャリッジを前記プラテンガラスに沿って移動可能に支持するキャリッジ支持部を備え、前記原稿の画像を読み取る。前記装着部は、前記本体部の一部を成し、前記キャリッジに通じる第１開口が形成された部分である。前記カバー部材は、前記装着部に対して第１の向きおよび第２の向きで装着可能であり、前記装着部に装着されることによって前記装着部の前記第１開口を塞ぐ。前記カバー部材は、第１制限部と、ロック部と、操作部とを備える。前記第１制限部は、前記カバー部材が前記装着部に前記第１の向きで装着された場合に、前記装着部の前記第１開口に挿入されて前記キャリッジの移動を制限する位置に位置する。さらに、前記第１制限部は、前記カバー部材が前記装着部に前記第２の向きで装着された場合に、前記キャリッジの移動の制限を解除する位置に位置する。前記ロック部は、前記装着部の一部と係合して前記カバー部材を前記装着部に装着された状態に保持するロック形状から前記装着部との係合が外れる解除形状へ弾性変形可能な部分である。前記操作部は、前記ロック部に連結され、前記本体部の外側から操作されることにより、前記ロック部を前記ロック形状から前記解除形状へ変形させる方向へ変位可能な部分である。前記装着部は、第２制限部と、第２開口が形成された部分とを備える。前記第２制限部は、前記装着部に前記第２の向きで装着された前記カバー部材における前記操作部の変位を制限する部分である。前記第２開口は、前記本体部の外側から、前記装着部に前記第２の向きで装着された前記カバー部材における前記ロック部に通じる開口である。前記第２開口は、前記ロック部を前記ロック形状から前記解除形状へ変形させる工具が挿入される開口である。
【０００９】
本発明の他の局面に係る画像形成装置は、前記画像読取装置と、前記画像読取装置によって読み取られた画像をシートに形成する画像形成部とを備える。
【発明の効果】
【００１０】
本発明によれば、前記画像読取部におけるキャリッジの移動の制限を容易に解除できる一方で、前記キャリッジの移動を制限する状態への変更が安易に行われることを防止できる画像読取装置およびそれを備える画像形成装置を提供することが可能になる。
【図面の簡単な説明】
【００１１】
【図１】図１は、第１実施形態に係る画像読取装置を備える画像形成装置の構成図である。
【図２】図２は、第１実施形態に係る画像読取装置の本体部の平面図である。
【図３】図３は、第１実施形態に係る画像読取装置が備えるキャリッジ固定機構の構成図である。
【図４】図４は、第１実施形態に係る画像形成装置が備えるキャリッジ固定機構の分解斜視図である。
【図５】図５は、第１実施形態に係る画像形成装置が備えるキャリッジ固定機構における第１の向きで装着されたカバー部材のロック部の周辺部分の断面図である。
【図６】図６は、第１実施形態に係る画像形成装置が備えるキャリッジ固定機構における第２の向きで装着されたカバー部材のロック部の周辺部分の断面図である。
【図７】図７は、第２実施形態に係る画像形成装置が備えるキャリッジ固定機構における第２の向きで装着されたカバー部材のロック部の周辺部分の断面図である。
【図８】図８は、第２実施形態に係る画像形成装置が備えるカバー部材の一部の斜視図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
図１に示されるように、第１実施形態に係る画像読取装置１は、画像形成装置１０の一部を構成する。画像形成装置１０は、画像読取装置１に加え、画像形成部２を備える。例えば、画像形成装置１０は、複写機、ファクシミリまたは複合機などである。
【００１４】
画像読取装置１は、透明のプラテンガラス１３ａ、画像読取部１１およびプラテンカバー１２を備える。プラテンガラス１３ａは、画像読取装置１の本体部１００に支持されている。プラテンカバー１２には、ＡＤＦ（Auto Document Feeder）１２０が組み込まれている。
【００１５】
画像読取装置１は、プラテンガラス１３ａに載置された原稿９の画像の画像処理を行う装置である。原稿９は、画像の読み取り対象となるシート材である。プラテンガラス１３ａは、原稿９が載置される原稿台であり、本体部１００の上面を形成している。
【００１６】
前記画像処理は、原稿９の画像を読み取る画像読取処理、および原稿９から読み取った画像のデータを加工または転送する処理などを含む。
【００１７】
プラテンカバー１２は、本体部１００に設けられた不図示のヒンジによって回動可能に支持されている。プラテンカバー１２は、プラテンガラス１３ａを上から覆う閉位置とプラテンガラス１３ａ上を解放する開位置との間で回動可能である。
【００１８】
画像読取部１１は、プラテンガラス１３ａに載置された原稿９の画像を読み取る。画像読取部１１は、キャリッジ１４、キャリッジ支持部１５およびイメージセンサー１６を備える。キャリッジ１４は、移動支持体１４０と、移動支持体１４０に支持された光源１４１を含む。
【００１９】
光源１４１は、プラテンガラス１３ａの下方から光を出射し、プラテンガラス１３ａにおける主走査方向Ｄ１に沿う領域を照明する。図１において、主走査方向Ｄ１は紙面に直交する方向である。
【００２０】
本実施形態では、キャリッジ１４は、移動支持体１４０に支持された複数のミラー１４２を含む。複数のミラー１４２は、原稿９から反射光を本体部１００内に固定されたイメージセンサー１６へ導く。この場合、移動支持体１４０は、光源１４１および複数のミラー１４２の一部を支持する第１移動支持体１４０ａと、残りのミラー１４２を支持する第２移動支持体１４０ｂを含む。
【００２１】
キャリッジ支持部１５は、キャリッジ１４をプラテンガラス１３ａに沿って移動可能に支持する機構である。キャリッジ支持部１５は、キャリッジ１４を主走査方向Ｄ１に直交する副走査方向Ｄ２に沿って移動させる。
【００２２】
より具体的には、キャリッジ支持部１５は、第１移動支持体１４０ａおよび第２移動支持体１４０ｂを連動して副走査方向Ｄ２に沿って移動させる。その際、キャリッジ支持部１５は、第２移動支持体１４０ｂを第１移動支持体１４０ａの移動速度の２分の１の速度で移動させる。
【００２３】
キャリッジ１４は、本体部１００内において、光源１４１の光を原稿９に照射しつつ、プラテンガラス１３ａ上の原稿９を走査する。イメージセンサー１６は、原稿９からの反射光の光量に応じた画像データを出力する。
【００２４】
図１に示されるイメージセンサー１６はＣＣＤ（Charge Coupled Device）である。なお、光源１４１およびイメージセンサー１６が一体に形成された密着イメージセンサー（ＣＩＳ）が採用されることも考えられる。この場合、キャリッジ１４は、前記ＣＩＳを含み、前記ＣＩＳは、第１移動支持体１４０ａに支持され、第２移動支持体１４０ｂは必要ない。
【００２５】
副走査方向Ｄ２におけるキャリッジ１４の移動範囲には、コンタクトガラス１３ｂがプラテンガラス１３ａに並んで設けられている。キャリッジ１４がコンタクトガラス１３ｂに対向する位置で停止した状態で、画像読取部１１は、ＡＤＦ１２０によって搬送される原稿９の画像を読み取ることも可能である。
【００２６】
また、画像形成部２は、画像をシート９０に形成する画像形成処理を実行する。前記画像形成処理の対象となる画像は、画像読取装置１によって読み取られた画像および端末装置から受信する印刷ジョブデータが表す画像などである。
【００２７】
画像形成部２は、画像読取部１１から出力されるライン画像データに対応する画像を、シート供給部３から供給されるシート９０に形成する。シート９０は、用紙および封筒などのシート状の画像形成媒体である。
【００２８】
図１に示される画像形成部２は、電子写真方式によってシート９０にトナー像を形成する。なお、画像形成部２がインクジェット方式などの他の方式でシート９０に画像を形成する装置であることも考えられる。
【００２９】
画像読取装置１は、キャリッジ１４を本体部１００内の予め定められた位置に固定するキャリッジ固定機構７をさらに備える。後述するように、キャリッジ固定機構７において、本体部１００に取り付けられた部材が、キャリッジ１４の一部と係合することによってキャリッジ１４を固定する。これにより、画像読取装置１を含む画像形成装置１０が運搬される際などにおいて、キャリッジ１４が不必要に移動することを防ぐことができる。
【００３０】
ところで、画像読取装置１が運搬された後に設置されたときに、簡易な操作により、画像読取装置１を、キャリッジ１４の移動の制限が解除された利用可能状態にセッティングできることが望ましい。
【００３１】
一方、一般のユーザーが、安易な操作によって画像読取装置１を前記利用可能状態からキャリッジ１４の移動が制限される状態へ変更できてしまうと、画像読取装置１が故障したと誤解されるなどのトラブルが生じるおそれがある。従って、画像読取装置１を、キャリッジ１４の移動が制限されるキャリッジ固定状態へ安易に変更できないことが望ましい。
【００３２】
例えば、キャリッジ１４の移動を制限するカバー部材６が前記ユーザーの目に触れない場所に収納されていれば、前記ユーザーは、画像読取装置１を前記利用可能状態から前記キャリッジ固定状態へ安易に変更できない。
【００３３】
しかしながら、カバー部材６は、本体部１００における画像読取部１１に通じる後述の第１開口５ａを塞ぐ部材として機能する。画像読取部１１への粉塵の侵入を防止するため、画像読取装置１が前記利用可能状態であるときにも、カバー部材６が、本体部１００における第１開口５ａを塞ぐ位置に取り付けられていることが望ましい。
【００３４】
画像読取装置１のキャリッジ固定機構７は、画像読取部１１におけるキャリッジ１４の移動の制限を容易に解除できる一方で、キャリッジ１４の移動を制限する状態への変更が安易に行われることを防止できる構造を備える。以下、キャリッジ固定機構７のその構造について説明する。
【００３５】
［キャリッジ固定機構７］
図２〜６に示されるように、キャリッジ固定機構７は、本体部１００の一部を成す装着部５と、装着部５に装着されるカバー部材６とを備える。
【００３６】
装着部５は、本体部１００の一部を成し、本体部１００内のキャリッジ１４に通じる第１開口５ａが形成された部分である。装着部５は、カバー部材６が嵌め入れられる凹状に形成されている。装着部５は、第１カバー係合部５ｂと、第２カバー係合部５ｃと、操作制限部５ｄと、第２開口５ｅが形成された部分とを備える。
【００３７】
カバー部材６は、カバー基部６ａと、移動制限部６ｂと、張出部６ｃと、ロック部６ｄと、操作部６ｇと、欠け部６ｈを備える。移動制限部６ｂは、カバー基部６ａから本体部１００の内側へ向けて突出して形成されている。移動制限部６ｂは第１制限部の一例である。
【００３８】
カバー部材６は、装着部５に対して第１の向きおよび第２の向きで装着可能である。図２，４，５は、前記第１の向きのカバー部材６を示し、図６は、前記第２の向きのカバー部材６を示す。
【００３９】
カバー部材６が装着部５に対して第１の向きおよび第２の向きで装着されることにより、カバー部材６のカバー基部６ａが、装着部５の第１開口５ａを塞ぐ。
【００４０】
画像読取装置１において、前記第１の向きおよび前記第２の向きは、カバー部材６の長手方向が主走査方向Ｄ１に沿う向きであり、前記第２の向きは、前記第１の向きに対して反対の向きである。換言すれば、前記第２の向きは、水平面内において１８０度回転した向きである。
【００４１】
カバー部材６は、前記第１の向きで装着部５に装着されたときに、キャリッジ１４の一部と係合することによってキャリッジ１４の移動を制限する。一方、カバー部材６は、前記第２の向きで装着部５に装着されたときに、キャリッジ１４の移動の制限を解除する。
【００４２】
具体的には、カバー部材６が装着部５に前記第１の向きで装着された場合に、移動制限部６ｂが、装着部５の第１開口５ａに挿入され、キャリッジ１４の移動を制限する位置に位置する。
【００４３】
図３，４に示されるように、キャリッジ１４の移動支持体１４０には、カバー部材６が前記第１の向きで装着されたときに副走査方向Ｄ２において移動制限部６ｂと係合するキャリッジ側係合部１４ａが形成されている。移動制限部６ｂが、キャリッジ側係合部１４ａと係合する位置に達した状態において、キャリッジ１４の副走査方向Ｄ２における移動が制限される。
【００４４】
一方、カバー部材６が装着部５に前記第２の向きで装着された場合、移動制限部６ｂは、キャリッジ１４の移動の制限を解除する位置に位置する。図４に示される例では、キャリッジ１４の移動の制限を解除する位置は、キャリッジ１４の移動支持体１４０に形成された欠け部１４ｂの内側の位置である。欠け部１４ｂは、移動制限部６ｂと副走査方向Ｄ２に移動するキャリッジ１４との干渉を避けるために形成されている。
【００４５】
図２，４に示される例では、２つの第１開口５ａが形成されている。２つの第１開口５ａの一方は、カバー部材６が装着部５に前記第１の向きで装着されたときに移動制限部６ｂが挿入される開口であり、他方は、カバー部材６が装着部５に前記第２の向きで装着されたときに移動制限部６ｂが挿入される開口である。
【００４６】
なお、２つの第１開口５ａが１つに繋がっていることも考えられる。また、カバー部材６が装着部５に前記第２の向きで装着されたときに移動制限部６ｂが挿入される一方の第１開口５ａの代わりに、装着部５が、移動制限部６ｂが挿入される凹部を有することも考えられる。この場合、前記凹部は、キャリッジ１４よりも高い位置からキャリッジ１４の欠け部１４ｂの位置に亘って形成される。
【００４７】
張出部６ｃは、カバー基部６ａにおける長手方向の一方の端部に設けられており、ロック部６ｄは、カバー基部６ａにおける長手方向の他方の端部に設けられている。張出部６ｃは、カバー基部６ａの長手方向に沿ってカバー基部６ａから張り出して形成されている。
【００４８】
張出部６ｃは、カバー部材６が前記第１の向きおよび前記第２の向きで装着部５に装着されたときに装着部５の第１カバー係合部５ｂと係合する部分である。
【００４９】
第１カバー係合部５ｂは、前記第１の向きで装着されたカバー部材６の張出部６ｃに対応する位置と、前記第２の向きで装着されたカバー部材６の張出部６ｃに対応する位置との２箇所に設けられている。
【００５０】
ロック部６ｄは、ロック形状から解除形状へ弾性変形可能な部分である。前記ロック形状は、装着部５の一部である第２カバー係合部５ｃと係合してカバー部材６を装着部５に装着された状態に保持する形状である。前記解除形状は、装着部５の第２カバー係合部５ｃとの係合が外れる形状である。ロック部６ｄは、外力が加わらない自然状態において前記ロック形状を維持する。
【００５１】
図４〜６に示されるように、ロック部６ｄは主走査方向Ｄ１に沿って弾性変形可能な折り返し部６ｅと、折り返し部６ｅから突出した突起部６ｆとを有する。ロック部６ｄが前記ロック形状であるときに、突起部６ｆが第２カバー係合部５ｃと係合する。
【００５２】
張出部６ｃが第１カバー係合部５ｂと係合した状態で、ロック部６ｄの突起部６ｆが第２カバー係合部５ｃと係合することにより、カバー部材６は、装着部５に装着された状態に保持される。
【００５３】
第２カバー係合部５ｃは、前記第１の向きで装着されたカバー部材６のロック部６ｄに対応する位置と、前記第２の向きで装着されたカバー部材６のロック部６ｄに対応する位置との２箇所に設けられている。
【００５４】
図５に示されるように、操作部６ｇは、ロック部６ｄに連結され、本体部１００の外側からユーザーの手８０で操作される部分である。本実施形態において、操作部６ｇはロック部６ｄと一体に形成されている。
【００５５】
操作部６ｇは、ロック部６ｄを前記ロック形状から前記解除形状へ変形させる方向へ変位可能である。本実施形態において、操作部６ｇは、主走査方向Ｄ１に沿って変位可能である。図５において、手８０および前記解除形状のロック部６ｄが仮想線（二点鎖線）で示されている。
【００５６】
カバー部材６が前記第１の向きで装着部５に装着されている状態において、操作部６ｇが前記ユーザーの指から力を受けて変位することにより、ロック部６ｄが前記ロック形状から前記解除形状へ弾性変形する。これにより、カバー部材６を装着部５から取り外すことが可能になる。
【００５７】
図６に示されるように、操作制限部５ｄは、装着部５に前記第２の向きで装着されたカバー部材６における操作部６ｇの変位を制限する部分である。即ち、カバー部材６が装着部５に前記第２の向きで装着されている場合、操作部６ｇは、操作制限部５ｄに接触することにより、ロック部６ｄを前記解除形状へ変形させる方向へ変位できない。
【００５８】
従って、カバー部材６が装着部５に前記第２の向きで装着されている場合、前記ユーザーは、操作部６ｇを手８０で操作することによってはカバー部材６を装着部５から取り外すことができない。操作制限部５ｄは第２制限部の一例である。なお、操作制限部５ｄは、装着部５におけるその長手方向の一端側の１箇所に設けられている。装着部５に前記第１の向きで装着されたカバー部材６における操作部６ｇの変位を制限する部分は、装着部５に形成されていない。
【００５９】
カバー部材６の欠け部６ｈは、カバー部材６が前記第１の向きで装着部５に装着されたときに、操作制限部５ｄが嵌る部分である。これにより、カバー部材６が前記第１の向きで装着部５に装着された場合におけるカバー部材６と操作制限部５ｄとの干渉が回避される。
【００６０】
第２開口５ｅは、本体部１００の外側から、装着部５に前記第２の向きで装着されたカバー部材６におけるロック部６ｄに通じる開口である。図６に示されるように、第２開口５ｅは、ロック部６ｄを前記ロック形状から前記解除形状へ変形させる工具８が挿入される開口である。なお、第２開口５ｅは、装着部５におけるその長手方向の一方の端の１箇所に設けられている。装着部５に前記第１の向きで装着されたカバー部材６におけるロック部６ｄに通じる開口は、装着部５に形成されていない。
【００６１】
工具８の先端部が第２開口５ｅに挿入された状態で、工具８がさらに奥へ押し込まれると、工具８の先端部は、ロック部６ｄの折り返し部６ｅを押し、ロック部６ｄが前記ロック形状から前記解除形状へ変形する。
【００６２】
図６において、工具８および前記解除形状のロック部６ｄが仮想線で示されている。カバー部材６が装着部５に前記第２の向きで装着されている場合、前記ユーザーまたは画像形成装置１０のメンテナンス要員は、工具８を用いることによってカバー部材６を装着部５から取り外すことができる。
【００６３】
例えば、本体部１００に設けられた不図示の開閉カバーの内側に、工具８を着脱可能に保持する工具保持部が設けられることが考えられる。
【００６４】
なお、本実施形態において、操作部６ｇの操作によって変形したロック部６ｄの前記解除形状と、工具８の先端部で押されることによって変形したロック部６ｄの前記解除形状とは異なる（図５，６参照）。
【００６５】
図６に示されるように、装着部５は、第２開口５ｅに挿入された工具８の先端部をロック部６ｄの折り返し部６ｅへ案内する案内面５ｆを有する。なお、案内面５ｆは、装着部５におけるその長手方向の一方の端の１箇所に設けられている。案内面５ｆは、装着部５におけるその長手方向の他方の端には設けられていない。
【００６６】
キャリッジ固定機構７が採用されれば、画像読取部１１におけるキャリッジ１４の移動の制限を容易に解除できる一方で、キャリッジ１４の移動を制限する状態への変更が安易に行われることを防止できる。
【００６７】
また、装着部５が案内面５ｆを有することにより、工具８さえ用いれば比較的容易にカバー部材６を装着部５から取り外すことができる。
【００６８】
また、図２，４に示されるように、カバー部材６１におけるその長手方向の一端寄りの１箇所に矢印マーク６１が形成されている。矢印マーク６１は第１のマークの一例である。
【００６９】
また、本体部１００における装着部５の長手方向の一端寄りおよび他端寄りの２箇所に、施錠マーク５１および解錠マーク５２が形成されている。施錠マーク５１は、カバー部材６が前記第１の向で装着部５に装着されたときの矢印マーク６１に対応する位置に形成されている。解錠マーク５２は、カバー部材６が前記第２の向で装着部５に装着されたときの矢印マーク６１に対応する位置に形成されている。施錠マーク５１は、キャリッジ１４の移動が制限された状態を表し、解錠マーク５２は、キャリッジ１４の移動の制限が解除された状態を表す。施錠マーク５１および解錠マーク５２は、第２のマークおよび第３のマークの一例である。
【００７０】
上位の３つのマークが形成されていることにより、ユーザーは、装着部５に対するカバー部材６の装着方向を容易に確認することができる。
【００７１】
［第２実施形態］
次に、図７，８を参照しつつ、第２実施形態に係る画像読取装置１ｘについて説明する。画像読取装置１ｘは、画像読取装置１の代わりに、図１に示される画像形成装置１０に適用される。図７，８において、図１〜６に示される構成要素と同じ構成要素は、同じ参照符号が付されている。
【００７２】
画像読取装置１ｘは、キャリッジ固定機構７ｘを備える。キャリッジ固定機構７ｘは、画像読取装置１のキャリッジ固定機構７と比較して、ロック部６ｄと操作部６ｇとの連結の構造が異なるカバー部材６ｘを備える点が異なる。以下、キャリッジ固定機構７ｘにおけるキャリッジ固定機構７と異なる点について説明する。
【００７３】
図８に示されるように、キャリッジ固定機構７ｘのカバー部材６ｘにおいて、ロック部６ｄは、折り返し部６ｅに連なった連結部６ｉをさらに備える。そして、カバー部材６ｘにおいて、操作部６ｇは、連結部６ｉに対してスライド可能に連結されている。
【００７４】
操作部６ｇにおける本体部１００の内側を向く面には、連結部６ｉがスライド可能に嵌め入れられた溝６ｊが形成されている。カバー部材６ｘが装着部５に前記第１の向きおよび前記第２の向きで装着された状態において、連結部６ｉは操作部６ｇの背面側に隠れている。従って、前記ユーザーは、本体部１００の外側から連結部６ｉを手８０で変位させることはできない。
【００７５】
また、連結部６ｉには、操作部６ｇがロック部６ｄを前記解除形状へ変形させる方向へ変位したときに操作部６ｇが突き当たる当接部６ｋが形成されている。
【００７６】
従って、カバー部材６ｘが前記第１の向きで装着部５に装着されている場合、操作部６ｇが、前記ユーザーの手８０で操作されることによってロック部６ｄを前記解除形状へ変形させる方向へ変位すると、操作部６ｇが当接部６ｋを押し、ロック部６ｄが前記ロック形状から前記解除形状へ変形する。これにより、カバー部材６ｘを装着部５から取り外すことができる。
【００７７】
一方、カバー部材６ｘが前記第１の向きで装着部５に装着されている場合、カバー部材６ｘの変位は操作制限部５ｄによって制限される。図８において、操作制限部５ｄが仮想線で示されている。但し、操作制限部５ｄは、ロック部６ｄとは接触せず、ロック部６ｄが前記ロック形状から前記解除形状へ変形することを妨げない。
【００７８】
キャリッジ固定機構７ｘにおいても、カバー部材６ｘが装着部５に前記第２の向きで装着されている場合、前記ユーザーは、操作部６ｇを手８０で操作することによってはカバー部材６ｘを装着部５から取り外すことができない。
【００７９】
キャリッジ固定機構７ｘにおいて、第２開口５ｅは、本体部１００の外側から、装着部５に前記第２の向きで装着されたカバー部材６ｘにおける連結部６ｉに通じる開口である。図７に示されるように、第２開口５ｅは、ロック部６ｄを前記ロック形状から前記解除形状へ変形させる工具８が挿入される開口である。
【００８０】
キャリッジ固定機構７ｘにおいて、装着部５の案内面５ｆは、工具８の先端部を第２開口５ｅからロック部６ｄの連結部６ｉへ案内する。
【００８１】
工具８の先端部が第２開口５ｅに挿入された状態で、工具８がさらに奥へ押し込まれると、工具８の先端部は、ロック部６ｄの連結部６ｉを押圧し、ロック部６ｄが前記ロック形状から前記解除形状へ変形する。
【００８２】
即ち、操作部６ｇの変位が操作制限部５ｄによって制限された状態において、ロック部６ｄは、操作部６ｇに対してスライドしつつ前記ロック形状から前記解除形状へ変形可能である。
【００８３】
図７において、工具８および前記解除形状のロック部６ｄが仮想線で示されている。カバー部材６ｘが装着部５に前記第２の向きで装着されている場合、前記ユーザーまたは画像形成装置１０のメンテナンス要員は、工具８を用いることによってカバー部材６ｘを装着部５から取り外すことができる。
【００８４】
なお、本実施形態において、操作部６ｇの操作によって変形したロック部６ｄの前記解除形状と、工具８の先端部で押されることによって変形したロック部６ｄの前記解除形状とは同じである。
【００８５】
キャリッジ固定機構７ｘが採用されれば、キャリッジ固定機構７が採用される場合と同様の効果が得られる。また、キャリッジ固定機構７ｘが採用されれば、操作制限部５ｄがロック部６ｄの変形を妨げない。そのため、第２開口５ｅに挿入された工具８の先端部が操作部６ｇの近くの連結部６ｉを押すことにより、比較的容易にロック部６ｄを前記解除形状へ変形させることができる。
【００８６】
なお、本発明に係る画像読取装置および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００８７】
１，１ｘ  ：画像読取装置
２        ：画像形成部
３        ：シート供給部
５        ：装着部
５ａ      ：第１開口
５ｂ      ：第１カバー係合部
５ｃ      ：第２カバー係合部
５ｄ      ：操作制限部
５ｅ      ：第２開口
５ｆ      ：案内面
６        ：カバー部材
６ａ      ：カバー基部
６ｂ      ：移動制限部（第１制限部）
６ｃ      ：張出部
６ｄ      ：ロック部
６ｅ      ：折り返し部
６ｆ      ：突起部
６ｇ      ：操作部
６ｈ      ：欠け部
６ｉ      ：連結部
６ｊ      ：溝
６ｋ      ：当接部
６ｘ      ：カバー部材
７，７ｘ  ：キャリッジ固定機構
８        ：工具
９        ：原稿
１０      ：画像形成装置
１１      ：画像読取部
１２      ：プラテンカバー
１３ａ    ：プラテンガラス
１３ｂ    ：コンタクトガラス
１４      ：キャリッジ
１４ａ    ：キャリッジ側係合部
１４ｂ    ：欠け部
１５      ：キャリッジ支持部
１６      ：イメージセンサー
５１      ：施錠マーク（第２のマーク）
５２      ：解錠マーク（第３のマーク）
６１      ：矢印マーク（第１のマーク）
１００    ：本体部
１４０    ：移動支持体
１４０ａ  ：第１移動支持体
１４０ｂ  ：第２移動支持体
１４１    ：光源
１４２    ：ミラー
Ｄ１      ：主走査方向
Ｄ２      ：副走査方向
【図１】
2017204809.tif 000003
【図２】
2017204809.tif 000004
【図３】
2017204809.tif 000005
【図４】
2017204809.tif 000006
【図５】
2017204809.tif 000007
【図６】
2017204809.tif 000008
【図７】
2017204809.tif 000009
【図８】
2017204809.tif 000010